(57)【特許請求の範囲】
【請求項１】
金属製の筒状の缶胴と、該缶胴の上端部を縮径して形成されたネックイン部と、該ネックイン部の上縁に巻締部を介して巻締められた天蓋と、缶胴の上端部に冠着して該天蓋を覆う合成樹脂製の外蓋とを備えてなり、該外蓋は、前記天蓋の上面を覆う覆板部と、該覆板部の周縁から缶胴の外周に沿って下方に延出するスカート部とを備える外蓋付き缶体において、
前記スカート部は、前記巻締部の外周に係脱自在な係止部を内周面に備える第１スカート部と、該第１スカート部の下縁にスコアを介して切り離し自在に連設された第２スカート部とを備え、
前記缶胴は、前記ネックイン部の下端に連続して下方に向かって次第に拡径して前記巻締部より外径が大とされ且つ前記第２スカート部の内周面を外周に密着させて摩擦係合させるテーパー部を備え、
前記第２スカート部は、その上端側から下端に向かって次第に肉薄となるように形成されており、前記缶胴への非冠着状態ではその内径が少なくとも前記巻締部の外径より大であり且つ前記テーパー部の外径より小とされ、該缶胴に冠着された際に前記テーパー部に沿って弾発的に拡径されることを特徴とする外蓋付き缶体。
【請求項２】
前記缶胴に、前記第２スカート部の下縁に沿って外方に突出する凸部を設けたことを特徴とする請求項１記載の外蓋付き缶体。
【発明の詳細な説明】
【０００１】
【発明の属する技術分野】
本発明は、外蓋付き缶体に関し、詳しくは、粉乳等を内容物として天蓋の開口後に該開口部を着脱自在な外蓋で閉塞する缶体に関する。
【０００２】
【従来の技術】
この種の外蓋付き缶体は、粉乳等の粉末食品や海苔等の湿気を嫌う食品で、分取されて用いられる食品に使用され、缶胴に巻き締められた天蓋を開口した後も外蓋を冠着することで密封保存を可能とするものである。また、この種の外蓋付き缶体においては、陳列時に外部からの悪戯を防止するために、未開封の状態と、開封後の状態とが視覚的に容易に判断できるような構造の外蓋が設けられている。詳しく説明すればこの種の外蓋は、特開平７−３１５３９８号公報に見られるように、前記天蓋を覆う覆板部と、該覆板部の周縁から下方に延長されて巻締部に着脱可能な状態で係合する第１スカート部と、該第１スカート部の下縁にスコアを介して切除自在に連設された第２スカート部とを備えて低密度ポリエチレン等の合成樹脂によって一体に形成されている。
【０００３】
前記巻締部は缶胴の外径よりも外方に突出して設けられ、第１スカート部の内周面には該巻締部に対応して係合する溝状の係止部が形成されている。また、該缶胴の外周には、溝状に凹入されたビードが形成されており、第２スカート部はその先端部の内面全周に設けられた凸条部が、該ビードの内方に収容される。該第２スカート部は、その凸条部がビードの内部に深く入り込むように形成するほど、該第２スカート部とビードとの係止が確実となるので、缶体から外蓋が取り外しにくくなり、悪戯の防止が確実となる。しかも、むりに外蓋を取り外そうとすればスコアが破断されるので、開封されたことが視覚的に判断できる。
【０００４】
しかし、第２スカート部の凸条部とビードとの係止を確実とするために、該凸条部がビードの内部に深く入り込むように第２スカート部を形成すると、巻締部の外径に対応する第１スカート部の内径よりも第２スカート部の内径が極端に小さくなり、射出成形時の型抜きが困難となるおそれがある。しかも、外蓋を缶体に冠着する際にも、巻締部の外径よりも小さな内径を有する第２スカート部が該巻締部を乗り越え難くなり、場合によってはスコアが破断されてしまうおそれがある。
【０００５】
その逆に、射出成形時の型抜きや、缶体への冠着を容易とするために、第２スカート部の内径を比較的大きくすると、第２スカート部の凸条部とビードとの強固な係止を望むことができず、悪戯により外蓋が持ち上げられて缶体から取り外されることを防止することが困難となる不都合がある。
【０００６】
このように、従来の外蓋付き缶体においては、外蓋の型抜きや缶体への冠着といった製造を容易とすることと、確実に悪戯を防止することとの両立が困難であった。
【０００７】
また、上記公報に開示された外蓋付き缶体では、第２スカート部を取り除いた後に、缶胴全周に亘ってビードが露出し、缶胴の美観を損ねる不都合があった。
【０００８】
【発明が解決しようとする課題】
かかる不都合を解消して、本発明は、製造容易であって、しかも確実に悪戯を防止することでき、更に、スカート部切除後に缶胴の美観を損ねることを防止することができる外蓋付き缶体を提供することを目的とする。
【０００９】
【課題を解決するための手段】
かかる目的を達成するために、本発明は、金属製の筒状の缶胴と、該缶胴の上端部を縮径して形成されたネックイン部と、該ネックイン部の上縁に巻締部を介して巻締められた天蓋と、缶胴の上端部に冠着して該天蓋を覆う合成樹脂製の外蓋とを備えてなり、該外蓋は、前記天蓋の上面を覆う覆板部と、該覆板部の周縁から缶胴の外周に沿って下方に延出するスカート部とを備える外蓋付き缶体において、前記スカート部は、前記巻締部の外周に係脱自在な係止部を内周面に備える第１スカート部と、該第１スカート部の下縁にスコアを介して切り離し自在に連設された第２スカート部とを備え、前記缶胴は、前記ネックイン部の下端に連続して下方に向かって次第に拡径して前記巻締部より外径が大とされ且つ前記第２スカート部の内周面を外周に密着させて摩擦係合させるテーパー部を備え、前記第２スカート部は、その上端側から下端に向かって次第に肉薄となるように形成されており、前記缶胴への非冠着状態ではその内径が少なくとも前記巻締部の外径より大であり且つ前記テーパー部の外径より小とされ、該缶胴に冠着された際に前記テーパー部に沿って弾発的に拡径されることを特徴とする。
【００１０】
本発明によれば、前記外蓋は、第１スカート部の係止部によって缶胴の巻締部に係止され、第２スカート部の内周面がテーパー部の外周面に密着して摩擦係合された状態で未開封とされている。外蓋が未開封の状態にあるとき、前記テーパー部は巻締部より外径が大であり、第２スカート部の内径はテーパー部の外径より小であるので、第２スカート部は、テーパー部に沿って弾発的に押し広げられて強固に密着し、缶胴と第２スカート部との間には人の指等が入り込めない状態とされる。しかも、該第２スカート部の下端側が比較的肉薄に形成されているので、該第２スカート部の下端側に指等が掛かりにくい状態とされる。従って、悪戯等による外蓋の取り外しを確実に防止することができる。更に、むりに外蓋を取り外そうとすれば、第２スカート部が変形してスコアが破断され、悪戯された缶体であることを視覚的に容易に判断することができる。
【００１１】
該外蓋を缶胴から取り外して開封する場合には、前記スコアを切断して第１スカート部から第２スカート部を切り離す。これにより、缶胴の外周面に密着していた第２スカート部が取り除かれ、開封後の外蓋の着脱は、巻締部と第１スカート部の係止部との係脱によって行える状態となる。更に、第２スカート部が切除された部分の缶胴には、比較的平坦なテーパー部が露出するだけであるので、従来のような缶胴に深く凹入されたビードが露出する場合に比べて、缶胴の美観が損なわれることがなく、使用者に不快感を与えることを防止することができる。
【００１２】
また、本発明における外蓋は、合成樹脂を材料とするものであるので、射出成形によって形成される。第２スカート部の内径は前記巻締部の外径より大とされているので、前記巻締部の外径に対応する第１スカート部の内径よりも大きい。従って、射出成形時の型抜きにおいては、該外蓋は、型抜き方向に従ってその内径が拡がっているので、容易に型抜きを行うことができる。
【００１３】
更に、缶体の製造時に外蓋を冠着する際には、前記第１スカート部の係止部が巻締部に係合するに先立って、第２スカート部が巻締部を通過する。このとき、第２スカート部は、前記缶胴への非冠着状態ではその内径が前記巻締部の外径より大であるので、巻締部によって通過が阻止されることがなく円滑に冠着することができる。また、第２スカート部は、前記缶胴への非冠着状態ではその内径が前記テーパー部の外径より小とされているので、缶胴に冠着された際に前記テーパー部に沿って弾発的に拡径される。外蓋は合成樹脂によって形成されているので比較的柔軟性を有しており、第２スカート部がテーパー部に沿って円滑に押し広げられる。そして、これによって、第２スカート部は前記テーパー部に沿って引き延ばされた状態で強固に摩擦係合される。
【００１４】
このように、本発明によれば、外蓋の射出成形時の型抜きや、外蓋を冠着する作業を極めて容易に行うことができ、しかも、悪戯等による外蓋の取り外しを確実に防止することができる。
【００１５】
本発明においては、前記缶胴に、前記第２スカート部の下縁に沿って外方に突出する凸部を設けることが好ましい。これによって、第２スカート部の下縁には指等が掛かりようもなく、悪戯等による外蓋の取り外しを一層確実に防止することができる。
【００１６】
【発明の実施の形態】
本発明の一実施形態を図面に基づいて説明する。図１は本実施形態の外蓋付き缶体を示す説明的斜視図、図２は要部を縦断面視して示す説明図である。
【００１７】
図１及び図２に示すように、本実施形態の缶体１は、円筒状の金属製缶胴２の上部に天蓋３（図２にのみ示す）が巻き締められ、下部に底蓋４（図１にのみ示す）が巻き締められて、その内部に収容された粉乳が密封されている。更に、天蓋３は、合成樹脂である低密度ポリエチレン製の外蓋５によって被覆状態とされており、該外蓋５を取り外して開封することにより天蓋３を開口することができ、天蓋３が開口された後に該外蓋５を冠着して、内部の粉乳を密封状態で保存することができるようになっている。なお、天蓋３は、図２に示すように、缶胴２の上縁全周に巻き締め固定された中央に開口を有する枠体３ａと、該枠体３ａに剥離自在に設けられた開口を密封する密封シート３ｂとによって構成されており、密封シート３ｂを枠体３ａから剥離することによって天蓋３が開口される。密封シート３ｂは密封性が優れているものの、比較的薄手であって外部からの接触や悪戯等によって破れや孔あきが生じ易い。そこで、前記外蓋５を設けて未開封の状態にある密封シート３ｂを保護している。
【００１８】
該缶胴２は、図２に示すように、その上縁部６がその下側の胴部７よりも縮径されて形成されている。該上縁全周には、天蓋３を巻き締めることによって巻締部８が形成されている。
【００１９】
該缶胴２の上縁部６は、段階的に縮径成形して得られるネックイン部９により胴部７よりも縮径されている。巻締部８は、該ネックイン部９を介して外方に突出されて上縁部６に形成されている。なお、巻締部８の外径は、ネックイン部９の下端９ａの外径よりも小さく形成されている。
【００２０】
該ネックイン部９に隣設してその下方には、下方に向かって次第に拡径するテーパー部１０が該缶胴２の全周に形成されている。テーパー部１０はネックイン部９の下端９ａに連続して形成されており、更に、テーパー部１０の下端１０ａに連続してその下方位置には、該缶胴２の外方に突出する凸部１１が該缶胴２の全周に形成されている。また、前記ネックイン部９の下端９ａの外径は胴部７の外径と略同径であり、テーパー部１０の下端１０ａの外径は胴部７の外径よりも大きい。  前記外蓋５は、図２に示すように、天蓋３を覆って円盤状に形成された覆板部１２と、該覆板部１２の周縁から下方に向かって延設されたスカート部１３とによって構成されている。
【００２１】
該スカート部１３は、巻締部８に沿って下方に延設された第１スカート部１４と、該第１スカート部１４の下縁にスコア１５を介して一体に連設された第２スカート部１６とを備えている。
【００２２】
前記第１スカート部１４は、その内周に前記巻締部８に対応して形成された溝状の係止部１７を備えている。該係止部１７は、巻締部８の下縁に係止する凸条部１８と該凸条部１８から下方に向かって次第に拡径方向に傾斜する傾斜部１９とを備えている。該係止部１７の凸条部１８は傾斜部１９に案内されて巻締部８を乗り越えて巻締部８の下縁に係止される。
【００２３】
前記第２スカート部１６は、前記スコア１５の隣接位置では肉厚が比較的大であり、前記テーパー部１０に接触するあたりから下方に向かって次第に肉薄になるように形成されている。該第２スカート部１６の最も肉厚の大とされた部分の内径は、前記巻締部８の外径より僅かに大とされている。また、図示しないが、第２スカート部１６は射出成形によって形成され、第１スカート部１４と第２スカート部１６との境界のスコア１５が形成された狭い範囲を除けば、第２スカート部１６の内径が第１スカート部１４の内径より大きく成形されることによって、型抜き方向に沿って内径が拡がっているので、型抜きを円滑に行うことができる。
【００２４】
更に、第２スカート部１６は、缶胴２に未冠着の際にその下端部の内径が、前記テーパー部１０の上端の外径に略一致する寸法に形成される。該第２スカート部１６の下端部は極めて肉薄に形成されており、該第２スカート部１６の内面の略前面がテーパー部１０の外面に密着する。更に、第２スカート部１６の下縁は、前記缶胴２に形成された凸部１１によって囲われている。
【００２５】
また、図１に示すように、第２スカート部１６の一部にスコア１５に沿って切り取る際に初期切断するための指掛け用切欠部２０が形成されており、該切欠部２０の下縁部には指掛けを容易とする指掛け凸部２１が形成されている。前記スコア１５は、図２に示すように、第１スカート部１４と第２スカート部１６との境界に沿って全周に設けられている。更に、前記指掛け用切欠部２０の引っかけ方向に沿ってスコア１５の破断を開始するための破断開始用スコア２２が形成されている。
【００２６】
以上の構成による外蓋５を、製造時に缶体１に冠着するとき、図２を参照して説明すれば、まず、前記第２スカート部１６が巻締部８を通過する。該第２スカート部１６の内径は、巻締部８の外径より大きく形成されているので、巻締部８を円滑に通過させることができ、第２スカート部１６がスコア１５の破断により切離されるのを確実に防止することができる。
【００２７】
次いで、前記第２スカート部１６がテーパー部１０に沿って弾発的に拡径されるが、テーパー部１０による比較的緩やかな案内によって、冠着作業時の抵抗を極めて小とすることができる。一方、前記第１スカート部１４の係止部１７の凸条部１８が巻締部８を乗り越えて、巻締部８の下縁に係止され、外蓋５の缶体１への冠着が完了する。
【００２８】
また、外蓋５が冠着されて未開封状態の缶体１においては、悪戯等の手段として第２スカート部１６の下縁に指を掛けようとしても、前記凸部１１によって阻止されるので、確実に悪戯を防止することができる。また、図示しないが、前記凸部１１が設けられていない場合であっても、第２スカート部１６は、テーパー部１０に沿って弾発的に押し広げられて強固に密着し、しかも、第２スカート部１６の下端側が比較的肉薄に形成されているので、第２スカート部１６への指掛けや、第２スカート部１６と缶胴２との間への指の侵入を確実に防止することができる。
【００２９】
そして、外蓋５を缶胴２から取り外して天蓋３を開封する場合には、前記スコア１５を切断して第２スカート部１６を切り離す。これにより、図示しないが、第２スカート部１６が取り除かれた外蓋５の着脱は、巻締部８と第１スカート部１４の係止部１７との係脱によって行える状態となる。このとき、第２スカート部１６が切除された部分の缶胴２には、比較的平坦なテーパー部１０の外面が露出するだけであるので、従来のような缶胴に深く凹入されたビードが露出する場合に比べて、缶胴の美観が損なわれることを防止することができる。
【００３０】
また、前記テーパー部１０は、前述したように、胴部７より大きな外径となるように形成することによって、第２スカート部１６との密着状態を強固とすることができるだけでなく、例えば、図示しないが、前記ネックイン部９を形成する際に、前記テーパー部１０を設けることによって、ネックイン部９の下端９ａの曲げ角度を比較的緩やかに形成することができ、ネックイン部９の形成時に急激な曲げ変形による皺等の発生を確実に防止することができるといった効果も得ることができる。
【００３１】
【発明の効果】
以上のことから明らかなように、本発明によれば、外蓋が未開封の状態にあるとき、前記テーパー部は巻締部より外径が大であり、第２スカート部の内径はテーパー部の外径より小であるので、第２スカート部は、テーパー部に沿って弾発的に押し広げられて強固に密着し、缶胴と第２スカート部との間に、人の指等が入り込めない状態とすることができ、しかも、該第２スカート部の下端側が比較的肉薄に形成されているので、該第２スカート部の下端側に指等が掛かりにくい状態とすることができる。従って、悪戯等による外蓋の取り外しを確実に防止することができる。更に、むりに外蓋を取り外そうとすれば、第２スカート部が変形してスコアが破断され、悪戯された缶体であることを視覚的に容易に判断することができる。
【００３２】
また、外蓋を缶胴から取り外して開封した後には、第２スカート部が切除された部分の缶胴には、比較的平坦なテーパー部が露出するだけであるので、従来のような缶胴に深く凹入されたビードが露出する場合に比べて、缶胴の美観が損なわれることがなく、使用者に不快感を与えることを防止することができる。
【００３３】
また、射出成形時の型抜きにおいては、該外蓋は、型抜き方向に従ってその内径が拡がっているので、容易に型抜きを行うことができる。更に、缶体の製造時に外蓋を冠着する際には、前記第１スカート部の係止部が巻締部に係合するに先立って、第２スカート部が巻締部を容易に通過するので、円滑に冠着することができる。
【００３４】
更に、本発明によれば、前記缶胴に、前記第２スカート部の下縁に沿って外方に突出する凸部を設けたので、第２スカート部の下縁には指等が掛かりようもなく、悪戯等による外蓋の取り外しを一層確実に防止することができる。
【００３５】
このように、本発明によれば、外蓋の射出成形時の型抜きや、外蓋を冠着する作業を極めて容易に行うことができ、しかも、悪戯等による外蓋の取り外しを確実に防止することができる。
【図面の簡単な説明】
【図１】本発明の一実施形態の外蓋付き缶体を示す説明的斜視図。
【図２】本発明の一実施形態の要部を縦断面視して示す説明図。
【符号の説明】
１…外蓋付き缶体、２…缶胴、３…天蓋、５…外蓋、８…巻締部、９…ネックイン部、１０…テーパー部、１１…凸部、１２…覆板部、１３…スカート部、１４…第１スカート部、１５…スコア、１６…第２スカート部、１７…係止部。
【図１】
0004014711.tif 000002
【図２】
0004014711.tif 000003